(57)【特許請求の範囲】
【請求項１】
少なくとも一つの通信機器の識別子と、前記通信機器から送信され、コンテンツを含む無線信号の無線周波数とを対応して表すテーブルを記憶する記憶部と、
前記無線信号を受信する受信部と、
前記無線信号の強度を算出する無線強度算出部と、
前記算出された無線信号の強度を表示する表示部と、
前記通信機器に対して前記無線信号の強度の変更を指示する情報を入力するための入力部と、
前記情報の入力に基づいて、前記テーブルに記憶された無線周波数を用いて、前記通信機器に対して前記無線信号の強度の変更を指示する信号を送信する第１の送信部と、
前記通信機器から前記無線信号の強度の変更を行わないことを示す情報を受信する信号受信部と、
前記無線強度の変更を行わないことを示す情報を受信したことに対応して、前記無線信号の強度の変更が行えないことを示す情報を前記表示部に表示させる制御手段と
を具備することを特徴とするコンテンツ再生制御装置。
【請求項２】
無線信号の強度の変更を指示する情報を、他の機器から受信したことを示すとともに、前記無線信号の強度の変更を行うか否かの選択を示す情報を前記表示部に表示させる選択手段と、
前記選択手段によって、前記無線信号の強度の変更を行わないことが選択された場合、前記通信機器に無線信号の強度の変更を行わないことを示す信号を送信する送信部と
をさらに具備することを特徴とする請求項１に記載のコンテンツ再生制御装置。
【請求項３】
前記入力部が入力する無線信号の強度の変更を指示する情報が無線信号の送信の停止、強度の増大、減少のいずれかであることを特徴とする請求項１または２に記載のコンテンツ再生制御装置。
【請求項４】
前記受信した無線信号のエラー率を算出するエラー率算出部と、
前記エラー率と所定の閾値とを比較する比較部と、
前記比較部の比較の結果に基づいて前記無線信号の無線強度の変更を指示する信号を前記通信機器に対して前記第１の送信部に送信させる無線強度変更部と、
をさらに具備することを特徴とする請求項１ないし３のいずれか１項に記載のコンテンツ再生制御装置。
【請求項５】
無線強度の最小、最大を判定する判定手段をさらに具備し、
前記無線強度変更部が
前記判定手段の判定の結果、無線強度が最小ではなく、かつ前記エラー率が前記閾値よりも高かった場合に前記無線強度の減少を指示する信号を前記第１の送信部に送信させる
ことを特徴とする請求項４記載のコンテンツ再生制御装置。
【請求項６】
無線信号の強度の変更を指示する信号を送信するコンテンツ再生制御装置と無線通信をおこなう通信機器であって、
無線信号を送信する無線信号送信部と、
前記コンテンツ再生制御装置が送信した前記無線信号の強度の変更を指示する信号を受信する信号受信部と、
前記無線信号の強度の変更を指示する信号の受信に対応して、前記無線信号の強度の変更を行うか否かを判定する判定手段と、
前記判定手段が、前記無線信号の強度の変更を行うよう判定した場合、前記強度の変更を指示する信号に基づいて前記無線信号の強度を変更する無線強度変更部と
前記判定手段が、前記無線信号の強度の変更を行わないよう判定した場合、前記コンテンツ再生制御装置に対して、前記無線強度の変更を行わないことを示す情報を送信する手段と
前記コンテンツ再生制御装置以外の他の機器と無線通信を行う手段と、
前記他の機器から無線信号の強度の変更を指示する情報を受信する手段と、
前記他の機器からの無線信号の強度の変更を指示する情報の受信に対応して、前記コンテンツ再生制御装置に対して、前記他の機器から無線信号の強度の変更を指示する情報を受信したことを示す信号を送信する送信手段と、
前記送信した無線信号の強度の変更を指示する情報に対して、前記コンテンツ再生制御装置にて入力された無線信号の強度の変更の非実行を示す信号を受信する手段と
を具備し、
前記判定手段が、前記受信した非実行を示す信号に基づいて、前記無線信号の強度の変更を行わないよう判定することを特徴とする通信機器。
【請求項７】
前記無線信号の強度の変更を指示する情報が無線信号の送信の停止、強度の増大、減少のいずれかであることを特徴とする請求項６記載の通信機器。
【請求項８】
前記無線信号の強度の変更を行うことで実行中の無線通信に不具合がでる場合に、前記判定手段が前記無線信号の強度の変更を行わないよう判定することを特徴とする請求項６または７に記載の通信機器。
【発明の詳細な説明】
【技術分野】
【０００１】
本発明は、コンテンツ再生制御装置及び通信機器に関する。
【背景技術】
【０００２】
従来、無線通信によってコンテンツを送受信する無線通信システムの技術が知られている（例えば、特許文献１参照）。
【０００３】
このような無線通信システムでは、異なるチャンネル（周波数）を用いて複数台のコンテンツ再生機器との通信が可能である。
【特許文献１】特開２００６−７４６６６号公報
【発明の開示】
【発明が解決しようとする課題】
【０００４】
しかしながら上記の技術では、比較的近いチャンネルを使用する機器同士の電波が混信しやすくなるという問題がある。
【０００５】
本発明は、かかる従来の問題を解消すべくなされたもので、送受信される電波の混信を抑止し、外部接続機器から送信されたコンテンツの取得を確実に行うことができるよう外部接続器機を制御するコンテンツ再生制御装置および通信機器を提供することを目的とする。
【課題を解決するための手段】
【０００６】
上記の目的を達成するために本発明の一態様に係るコンテンツ再生制御装置は、少なくとも一つの通信機器の識別子と、前記通信機器から送信され、コンテンツを含む無線信号の無線周波数とを対応して表すテーブルを記憶する記憶部と、前記無線信号を受信する受信部と、前記無線信号の強度を算出する無線強度算出部と、前記算出された無線信号の強度を表示する表示部と、前記通信機器に対して前記無線信号の強度の変更を指示する情報を入力するための入力部と、前記情報の入力に基づいて、前記テーブルに記憶された無線周波数を用いて、前記通信機器に対して前記無線信号の強度の変更を指示する信号を送信する第１の送信部と前記通信機器から前記無線信号の強度の変更を行わないことを示す情報を受信する信号受信部と、前記無線強度の変更を行わないことを示す情報を受信したことに対応して、前記無線信号の強度の変更が行えないことを示す情報を前記表示部に表示させる制御手段とを具備することを特徴とする。
【発明の効果】
【０００９】
本発明によれば、外部接続機器から送信されたコンテンツの取得を確実に行うことができるよう外部接続器機を制御するコンテンツ再生制御装置及び通信機器を提供することができる。
【発明を実施するための最良の形態】
【００１０】
（第１の実施の形態）
以下、図面を参照して、本発明の一形態にかかる実施の形態を詳細に説明する。図１は、本発明の第１の実施の形態にかかるＴＶシステム１の構成を示すブロック図である。
同図に示すように、ＴＶシステム１は、ＴＶ１００、外部接続機器２００、３００を例えば無線ＬＡＮ（無線ローカルエリアネットワーク）などで接続することで構成されている。
ＴＶシステム１を構成する各機器はそれぞれの機器と無線通信を行う。ＴＶ１００は外部接続機器２００、３００と通信を行う。
【００１１】
外部接続機器２００はＴＶ１００、外部接続機器３００と通信を行う。外部接続機器３００はＴＶ１００、外部接続機器２００と通信を行う。
通信の一例は互いに通信信号や後述する制御コマンドＳ１、応答コマンドＳ２を送受信することである。通信信号はコンテンツと送受信情報とから構成される。
「コンテンツ」は例えばＨＤＭＩ（High Definition Multimedia Interface）規格の動画である。例えばＴＶ番組を圧縮記録した動画（Ｍｐｅｇ２およびＭｐｅｇ４形式のデータ）、デジタルカメラ（図示せず）などの静止画（ビットマップ,ＪＰＥＧ，ＰＩＮＧ，ＧＩＦ等の形式のデータ）である。
【００１２】
さらに例えば、インターネット上で行われる音楽配信サービスによりダウンロードされる楽曲データ（ＭＰ３、ＡＡＣ等）や、家庭内のＣＤから再生されたデジタル電波に変換された音声データ（ＷＡＶデータ）などの情報である。
各機器間の通信は例えば２.４ＧＨz（ニイテンヨン ギガヘルツ）の周波数帯の電波を用いて行われる。
【００１３】
送受信情報は例えば、通信信号の送信元を示す情報や送信相手を示す情報である。具体的には各機器が個別に有する固有ＩＤである。各機器は固有IDを用いて通信先の機器を識別することができる。
また送受信情報は固有ＩＤとともに外部接続機器２００などの製品名の情報や外部接続機器２００の送信状態を示す情報を含む。
【００１４】
（ＴＶ１００について）
ＴＶ１００は、例えば地上デジタルテレビジョン放送受信装置（ＤＴＶ：Digital terrestrial Television broadcasting tuner）と呼ばれる装置であり、ＴＦＴ液晶画面などの表示ユニットを備えるものとそうでないものがある。この例では、表示ユニットを備えるものについて説明する。ＴＶ１００はコンテンツ再生制御装置として機能する。
ＴＶ１００は外部接続機器２００、３００に対して制御コマンドＳ１を送信する.「制御コマンドＳ１」は、外部接続機器２００、３００に対して通信信号の送信の停止を指示する情報または通信信号や応答コマンドＳ２を送信する電波の強度の調整を指示するための情報である（以下の説明では「通信信号や応答コマンドＳ２を送信する電波の強度」を単に「通信信号の強度」と称す。）。
【００１５】
制御コマンドＳ１にも送受信情報が含まれる。
ＴＶ１００は、制御コマンドＳ１に対する応答コマンドＳ２を外部接続機器２００、３００から受信する。「応答コマンドＳ２」は制御コマンドＳ１に対して制御コマンドＳ１の内容を実行したことを示す情報または制御コマンドＳ１を実行しないことを示す情報である。応答コマンドＳ２にも送受信情報が含まれる。
【００１６】
ＴＶ１００は、メモリ１０１、制御部１０３、タイマ１０４、無線通信部１０５、信号処理部１０７、電波状況メニュー作成ユニット１０９、表示部１１３、入力部１１５を備える。さらにＴＶ１００は特別図示はしないがＴＶチューナを備え、放送信号を受信することができる。
メモリ１０１にはテーブルＴ０があらかじめ記憶される。
【００１７】
テーブルＴ０はＴＶ１００が外部接続機器２００、３００と通信信号などの送受信を行う際の識別子とこの識別子に対応する個別の周波数の情報とで表される。
識別子はチャンネル１〜チャンネルｎまで存在する（以下この識別子のことをチャンネル情報と称す。）。チャンネル１は例えば２．４GHｚの周波数の情報と対応付けられる。チャンネル２は例えばチャンネル１の周波数よりも４０MHｚ分高い周波数の情報と対応つけられる。
【００１８】
制御部１０３は、メモリ１０１、タイマ１０４、無線通信部１０５、信号処理部１０７、電波状況メニュー作成ユニット１０９、表示部１１３、入力部１１５をそれぞれ制御する。
制御部１０３は外部接続機器２００、３００に対して通信信号や応答コマンドＳ２の強度の変更を指示する。
制御部１０３は、テーブルＴ１を作成しメモリ１０１に保持させる。
テーブルＴ１は例えばテーブルＴ０のチャンネル情報と外部接続機器２００、３００の固有IDとが対応付けられて表される。
【００１９】
制御部１０３は無線通信部１０５を介して外部接続機器２００、３００から通信信号、応答コマンドＳ２を受信する。
図示は省略したが制御部１０３はチューナ（図示せず）が受信するコンテンツを含む放送電波（映像、音声電波）を外部接続機器２００または外部接続機器３００に送信するためのパケット処理部を備える。
このパケット処理部は放送信号を無線形式の通信フォーマットに変換する。
制御部１０３はコンテンツの各フォーマット（Ｍｐｅｇ２やＭｐｅｇ４など）に対応したエンコーダ・デコーダとしても機能する。
【００２０】
制御部１０３は入力部１１５からの入力信号を受信する。制御部１０３は入力部１１５からの入力信号に基づいて種々の制御を行う。この制御の一例は、外部接続機器２００のコンテンツの送信の停止（すなわち通信信号の送信停止）である。
タイマ１０４は所定時間（例えば数秒〜数十秒）を計時する。タイマ１０４は、外部接続機器２００または外部接続機器３００に対して制御コマンドＳ１が送信された後に、制御部１０３に制御されてカウントを開始する。タイマ１０４は所定時間を計時すると、タイムアップしたことを制御部１０３に通知する。タイマ１０４は、タイムアップ通知後、制御部１０３によってリセットされる。
【００２１】
なおタイムアップ通知後、タイマ１０４が自らのカウント値をリセットしてもよい。リセットによってタイマ１０４は再度所定時間を計時する。
無線通信部１０５は無線信号を受信する受信部として機能する。
無線通信部１０５はアンテナ１０５ａを備える。無線通信部１０５はアンテナ１０５ａを介して種々の信号（電波）を受信する。「種々の信号」は例えば外部接続機器２００、３００がＴＶ１００に対して送信した通信信号や応答コマンドＳ２などである。
また、例えば外部接続機器３００が外部接続機器２００に対して送信した通信信号を受信する、す。さらに、例えば電子レンジなどから放射される電波を受信することもある。
無線通信部１０５はアンテナ１０５ａを介して外部接続機器２００、３００に対して制御コマンドＳ１や放送波から取り出したコンテンツを含む通信信号を送信する。
【００２２】
無線通信部１０５はアンテナ１０５aが受信した電波を変調し、受信信号として信号処理部１０７に出力する。
無線通信部１０５はアンテナ１０５aを介して受信した通信信号や応答コマンドＳ２の周波数を示す情報を生成して受信信号に付加する。この無線通信部１０５が生成した周波数を示す情報とテーブルＴ０の周波数の情報に基づいて制御部１０３はテーブルＴ１のチャンネル情報と外部接続機器２００、３００を対応付けることができる。
【００２３】
無線通信部１０５は特に図示はしないが変調回路、復調回路、混合器を備える。
変調回路はＴＶ１００が外部接続機器２００、３００に送信する制御コマンドＳ１、放送電波をデジタル通信が可能な電波へ変換し、この電波を無線通信で使用する周波数帯域の電波に変換する。
復調回路は、アンテナ１０５ａを介して受信した外部接続機器２００、３００からの無線方式のデジタル電波をＴＶ１００内で処理できる周波数帯域の信号に変換する。
【００２４】
復調回路はさらにこの信号を制御部１０３などで処理可能な信号（この信号はベースバンド信号と呼ばれる）に変換する。
混合器は外部接続機器２００、３００からの通信信号などの受信と、外部接続機器２００、３００に対する制御コマンドＳ１などの送信を１つのアンテナ１０５ａを用いて処理するためのものである。
すなわち、混合器が無い場合、ＴＶ１００は複数のアンテナ１０５ａを備える必要がある。
【００２５】
信号処理部１０７は信号解析部１０７a、コマンド送受信部１０７b、電波強度算出部１０７c、エラー率算出部１０７dを備える。
信号処理部１０７は無線通信部１０５が出力した受信信号から種々の情報を取り出す、または生成する。信号処理部１０７によって取り出された（または生成された）情報は制御部１０３に出力され、テーブルＴ１に付加される。
【００２６】
信号解析部１０７aは無線通信部１０５が出力した受信信号から送受信情報を取り出す。
信号解析部１０７aは取り出した送受信情報の内容を制御部１０３に出力する。信号解析部１０７aは無線通信部１０５が出力した受信信号から送受信情報が取り出せない場合、その旨を制御部１０３に出力する。
例えば、無線通信部１０５が出力した受信信号から外部接続機器２００、３００の固有IDが取り出せなかった場合、固有IDが存在しないことを示す情報を制御部１０３に出力する。
【００２７】
コマンド送受信部１０７bは無線通信部１０５が出力した受信信号から応答コマンドＳ２の内容を読み取る。コマンド送受信部１０７bは読み取った応答コマンド２の内容を制御部１０３に出力する。
コマンド送受信部１０７bは外部接続機器２００または外部接続機器３００に対する制御コマンドＳ１を発行し、外部接続機器２００または外部接続機器３００に出力する。  
電波強度算出部１０７cは無線通信部１０５が出力した受信信号（すなわち外部接続機器２００または外部接続機器３００が出力した通信信号）の強さの情報を生成する。
【００２８】
信号の強さの情報は、無線通信部１０５が出力した受信信号の強さを数値化（例えば「３」や「５」）したものである。電波強度算出部１０７cは信号の強さの情報を制御部１０３に出力する。電波強度算出部１０７cは信号の強さの最小、最大を判定するための閾値を有している。例えば数値化した受信信号の強さが「１」なら「最小」、「５」なら「最大」と判定する。この判定の情報は制御部１０３に出力される。
エラー率算出部１０７dはアンテナ１０５aが受信した電波のエラー率を算出する。エラー率算出部１０７dは算出したエラー率を制御部１０３に出力する。エラー率算出部１０７dは閾値を有している。この閾値は外部接続機器２００、３００から送信されたコンテンツが正常に再生可能か否かの判定に用いられる。エラー率は「％（パーセント）」で表される。
【００２９】
電波状況メニュー作成ユニット１０９は電波状況メニュー（図３参照。）を作成する。
電波状況メニューは、テーブルＴ１に基づいて、無線通信部１０５が受信した電波に含まれる送受信情報や信号処理部１０７が取り出した情報、外部接続機器２００、３００の通信信号の送信停止、通信信号の強度の調整などを行う制御ボタンなどが対応付けられて表される。
【００３０】
さらに電波状況メニュー作成ユニット１０９は外部接続機器２００、３００の通信信号の送信停止、通信信号の強度の調整などを決定するための電波調整操作メニュー（図４参照。）を作成する。
表示部１１３は、液晶表示パネル等からなるディスプレイ装置であり、コンテンツや電波状況メニュー作成ユニット１０９が作成した電波状況メニュー、電波調整操作メニューなどを表示する。
表示部１１３はコンテンツなどを表示、再生するためのグラフィックエンジン、スピーカなども備えている。
【００３１】
入力部１１５は表示部１１３に表示された電波状況メニューなどから制御ボタンを選択、決定するための装置である。
入力部１１５は、例えば、タッチパネルや押下式のボタン群、キーボードなどである。また入力部１１５はこれらに準ずるボタンを搭載した図示はしないリモコンからのコマンドを受信する受信装置（例えば赤外線受信装置）であってもよい。
使用者は入力部１１５を用いて、表示部１１３のモードをコンテンツ再生モードから電波状況メニュー表示モードおよび電波調整操作メニュー表示モードに切り換えることができる。
【００３２】
例えば、コンテンツが正常に表示されない場合に使用者は、入力部１１５を用いて表示部１１３のモードを電波調整操作メニューを表示させるモードに切り替える。
使用者は表示部１１３に表示された電波状況メニュー、電波調整操作メニューを参照しながら、通信信号（コンテンツ）の送信停止または通信信号の強度を調整したい所望の外部接続機器２００、３００を選択することができる。
（外部接続機器２００について）
【００３３】
外部接続機器２００は例えばＤＶＤレコーダである。外部接続機器２００は記録メディア（例えば、ＤＶＤ―ＲＯＭ、ＣＤ―ＲＯＭ）などに記録されたコンテンツを読み出し記録（録画）や再生を行う。
外部接続機器２００は外部機器制御部２０１、コマンド送受信部２０３、無線通信部２０５、データ読書部２０７、コンテンツ記憶部２０９、メディア再生部２１１を有している。外部接続機器２００はテーブルＴ１に相当するテーブルを作成し保持することができる。
【００３４】
外部機器制御部２０１は主にコマンド送受信部２０３、無線通信部２０５、データ読書部２０７、メディア再生部２１１の制御を行う。
外部機器制御部２０１はコンテンツの各フォーマット（Ｍｐｅｇ２やＭｐｅｇ４など）に対応したエンコーダとしての機能を有する。
外部機器制御部２０１はＣＰＵ（Central Processing Unit）やメモリを備え、通信信号の送信の停止、送信電波の強さの調整、録画予約、録画された番組情報の管理などを行う。このメモリには外部接続機器２００の固有ＩＤなどが記憶される。
【００３５】
無線通信部２０５はアンテナ２０５ａを備える。無線通信部２０５はアンテナ２０５ａを介してＴＶ１００、外部接続機器３００と制御コマンドＳ１や通信信号などの送受信を行う。
コマンド送受信部２０３は受信した制御コマンドＳ１の内容を外部機器制御部２０１へ通知する。
【００３６】
コマンド送受信部２０３は制御コマンドＳ１に対する応答コマンドＳ２を発行し、ＴＶ１００に対して送信する。
コンテンツ記憶部２０９は、例えばＨＤＤ（Hard Disk Drive）などであり、ＴＶ１００や外部接続機器３００から送信されたコンテンツが保存される。
メディア再生部２１１は例えばＤＶＤ−ＲＯＭに記憶されたコンテンツを読み取る装置である。
以上のように構成された外部接続機器２００はＴＶ１００からの制御コマンドＳ１によって通信信号などの電波の送信状態を制御される。
【００３７】
外部接続機器２００は外部接続機器３００との通信信号などの送受信の状態に基づいて制御コマンドＳ１に対する応答コマンドＳ２をＴＶ１００に送信する。
具体的には、ＴＶ１００から送信電波（通信信号）の強度を弱める内容の制御コマンド１を受信した場合、現状の通信信号の強度を弱めることによって外部接続機器３００との通信に不具合が生じると判定した場合、外部接続機器２００は「制御コマンドＳ１実行否」の内容の応答コマンドＳ２をＴＶ１００に送信する。
【００３８】
（外部接続機器３００について）
外部接続機器３００は例えばＳＴＢ（Set top box）である。ＳＴＢはＴＶ１００では受信できない放送電波を受信する。具体的にはケーブルテレビ、ブロードバンドVOD（Video On Demand)などの有料放送電波を受信する。外部接続機器３００はこれらの放送電波を、ＴＶ１００で視聴可能な電波へと変換する。
外部接続機器３００は外部装置制御部３０１、コマンド送受信部３０３、無線通信部３０５、放送電波受信部３０７を有している。
外部接続機器３００はテーブルＴ１に相当するテーブルを作成し保持することができる。
【００３９】
外部装置制御部３０１は主にコマンド送受信部３０３、無線通信部３０５の制御を行う。
外部装置制御部３０１は有料放送電波を正常に受信するための機器認証や受信のための各種制御を行う。
外部装置制御部３０１はＣＰＵやメモリを備え、通信信号の送信の停止、送信電波の強さの調整などを行う。このメモリには外部接続機器３００の固有ＩＤなどが記憶される。
【００４０】
無線通信部３０５はアンテナ３０５ａを備える。無線通信部３０５はアンテナ３０５ａを介してＴＶ１００、外部接続機器２００と制御コマンドＳ１や通信信号などの送受信を行う。
コマンド送受信部３０３は受信した制御コマンドＳ１の内容を外部装置制御部３０１へ通知する。
【００４１】
コマンド送受信部３０３は制御コマンドＳ１に対する応答コマンドＳ２を発行し、ＴＶ１００に対して送信する。
放送電波受信部３０７はケーブルテレビ、ブロードバンドVOD用の放送電波を受信する。
放送電波受信部３０７は例えば、有料放送電波を受信するための有料放送受信部、有料放送電波の暗号を解読するための暗号復号部、有料放送の音声・映像を復調するためのデコーダ部を備える。
【００４２】
以上のように構成された外部接続機器３００はＴＶ１００からの制御コマンドＳ１によって通信信号などの電波の送信状態を制御される。
外部接続機器３００は外部接続機器２００との通信信号などの送受信の状態に基づいて制御コマンドＳ１に対する応答コマンドＳ２をＴＶ１００に送信する。具体的には、ＴＶ１００から送信電波の強度を弱める内容の制御コマンド１を受信した場合、現状の送信電波の強度を弱めることによって外部接続機器２００との通信に不具合が生じると判定した場合、外部接続機器３００は「制御コマンドＳ１実行否」の内容の応答コマンドＳ２をＴＶ１００に送信する。
【００４３】
次に図２を用いてテーブルＴ１に付いて説明する。図２はテーブルＴ１を示す概念図である。
同図に示すように、テーブルＴ１は、チャンネル番号、使用状況、コンテンツ送信機器特定情報、コンテンツ送信機器名、コンテンツ受信機器特定情報、コンテンツ受信機器名、電波受信状況情報、送信機の電波強度、エラー率がそれぞれ対応付けられたものである。
「チャンネル番号」はテーブルＴ０に対応する情報である。すなわち、ＴＶ１００が外部接続機器２００、３００と通信信号などの送受信を行う際の電波の周波数に対応する情報である。
【００４４】
「使用状況」はチャンネル番号の使用状況を示す情報である。受信した電波にコンテンツ送信機器特定情報などが含まれる場合は「使用中」となる（例えば「Ｃａｎｎｅｌ-１」、「Ｃａｎｎｅｌ-２」）。電波は受信したけれどもコンテンツ送信機器特定情報などが含まれ無かった場合「使用不可」となる（例えば「Ｃａｎｎｅｌ-４」）その他は「空き」となる。
「コンテンツ送信機器特定情報」は外部接続機器２００、３００が有する固有ＩＤである。ＴＶ１００が受信した通信信号に固有ＩＤが含まれていない場合、テーブルＴ１には「不明」を表す情報が登録される。
【００４５】
「コンテンツ送信機器名」はＴＶ１００が受信した通信信号に含まれる情報である。外部接続機器２００または外部接続機器３００が送信する通信信号に固有ＩＤとともに付加される機器名である。具体的には外部接続機器２００または外部接続機器３００が送信した外部接続機器２００または外部接続機器３００の製品名である。
「コンテンツ受信機器特定情報」はＴＶ１００が受信した通信信号に含まれる情報である。外部接続機器２００または外部接続機器３００が送信する通信信号を受信する機器の固有ＩＤの情報である。
【００４６】
「コンテンツ受信機器名」はＴＶ１００が受信した通信信号に含まれる情報である。外部接続機器２００または外部接続機器３００が送信する通信信号を受信する機器名である。具体的には外部接続機器２００または外部接続機器３００が通信信号を送信した外部接続機器２００または外部接続機器３００の製品名である。
「電波受信状況情報」は通信信号を送信している機器の状態を表す情報である。「通信中」または「通信停止」の情報で表される。
「送信機の電波強度」は信号処理部１０７が算出した信号の強度を示す情報である。
「エラー率」は信号処理部１０７が算出した信号のエラー率を示す情報である。
【００４７】
次に、図３を用いて表示部１１３に表示される電波状況メニュー４００について説明する。図３は表示部１１３の表示の一例を示す概念図である。
同図に示すように、表示部１１３は電波状況メニュー作成ユニット１０９が作成した電波状況メニューを表示する。
電波状況メニュー４００は所定数の情報表示欄で構成されている。
具体的にはチャンネル番号表示欄４００ａ、使用状況表示欄４００ｂ、コンテンツ送信機器名表示欄４００ｃ、コンテンツ受信機器名表示欄４００ｄ、電波状況表示欄４００ｅ、電波調整ボタン表示欄４００ｆで構成されている。
【００４８】
コンテンツ表示欄４００ａにはテーブルＴ１の「チャンネル番号」を示す情報が表示される。具体的にはＣａｎｎｅｌ-1〜Ｃａｎｎｅｌ-Ｎが表示される。
コンテンツ表示欄４００ａにチャンネル番号が表示されることで使用者はＴＶ１００で使用できるチャンネルの数を容易に知ることができる。
使用状況表示欄４００ｂにはテーブルＴ１の「使用状況」を示す情報が表示される。使用状況を表示することで使用者は、チャンネルの使用状況を容易に知ることができる。また、新たに外部接機器を登録する際にどのチャンネルを割り当てれば良いのか容易に知ることができる。
【００４９】
コンテンツ送信機器名表示欄４００ｃにはテーブルＴ１の「コンテンツ送信機器名」を示す情報が表示される。送信機器名を表示することで使用者は現在コンテンツを送信している機器を容易に知ることができる。
コンテンツ受信機器名表示欄４００ｄにはテーブルＴ１の「コンテンツ受信機器名」を示す情報が表示される。受信機器名を表示することで使用者は現在コンテンツを送信している機器の電波を受信している機器を容易に知ることができる。すなわち、コンテンツの送信機、受信機の関係を容易に知ることができる。
【００５０】
電波状況表示欄４００ｅにはテーブルＴ１の「電波受信状況情報」を示す情報が表示される。電波状況をを表示することで使用者は現在コンテンツを送信している機器の電波送信状況を容易に知ることができる。
電波調整ボタン表示欄４００ｆは外部接続機器２００、３００に対して通信信号の停止または強弱を調整するためのものである。
電波調整ボタン表示欄４００ｆは複数の電波調整用ボタン４０１ａ〜４０１ｎを有している。電波調整用ボタン４０１ａ〜４０１ｎはコンテンツ表示欄４００ａに表示されるチャンネル番号数に対応する数だけ存在する。
【００５１】
電波調整用ボタン４０１ａ〜４０１ｎはコンテンツ送信機器名表示欄４００ｃに表示された機器に対して通信信号の停止または通信信号の強度の強弱の調整を行うためのボタンである。
通信信号の調整を行う送信機器は、電波調整用ボタン４０１ａ〜４０１ｎのいずれかが入力部１１５によって選択されることで決定される。
電波調整ボタン表示欄４００ｆはさらにポインタ４１０（電波調整用ボタン表示欄４０１ａ上の太枠）を備える。
【００５２】
ポインタ４１０は入力部１１５のボタン操作により電波調整用ボタン４０１ａ〜４０１ｎ上を上下に移動する。
ポインタ４１０と重なる電波調整用ボタン４０１ａ〜４０１ｎは、他の電波調整用ボタン４０１ａ〜４０１ｎとは区別できるように表示される。例えば、反転文字、中抜け、背景色が他の領域とは異なることなどで区別される。
使用状況表示欄４００ｂが「空き」または「使用不可」と対応する電波調整用ボタン４０１ａ〜４０１ｎは例えばグレーで表示され、入力部１１５では選択できない。
【００５３】
これは使用状況表示欄４００ｂが「空き」または「使用不可」の機器は通信信号の調整を行う必要が無いからである。
次に図４を用いて入力部１１５によって電波調整用ボタン４０１ａ〜４０１ｎのいずれかが選択された場合に表示部１１３に表示される電波調整操作メニュー５００について説明する。図４は電波調整操作画面の一例を示す概略図である。
同図に示すように、表示部１１３は、電波状況メニュー作成ユニット１０９が作成した電波調整操作メニューを表示する。
【００５４】
電波調整操作メニュー５００は電波強度調整ボタン５００ａ〜５００ｄ、Ｏｐｔｉｍｉｚｅボタン５００ｅ、電波強度表示部５００ｇ、ポインタ６００で構成される。
電波強度調整ボタン５００ａ〜５００ｄは、コンテンツを送信する送信機器に対して、通信信号の強度を制御するためのものであり「停止」、「弱」、「強」、「ＭＡＸ」の４種である。
「停止」は通信信号の送信を停止させる。「弱」は通信信号の強度を今の状態よりも弱くする。「強」は通信信号の強度を今の状態よりも強くする。「ＭＡＸ」は通信信号の強度をもっとも強くするためのものである。
【００５５】
Ｏｐｔｉｍｉｚｅボタン５００ｅは、通信信号の強度の調整をＴＶ１００が自動的に行うためのものである。
電波強度表示部５００gは、テーブルＴ１の「送信機の電波強度」を示す情報を視覚的に表示するためのインジケータである。電波強度表示部５００gは通信信号の強度の調整によって変化した「送信機の電波の強度」を逐次反映させて表示する。
ポインタ６００（電波強度調整ボタン５００ａ上の太枠）は入力部１１５のボタン操作により電波強度調整ボタン５００a〜５００d、Ｏｐｔｉｍｉｚｅボタン５００ｅ上を順次移動する。
【００５６】
ポインタ６００と重なる電波強度調整ボタン５００a〜５００d、Ｏｐｔｉｍｉｚｅボタン５００ｅは、他の電波強度調整ボタン５００a〜５００d、Ｏｐｔｉｍｉｚｅボタン５００ｅとは区別できるように表示される。例えば、反転文字、中抜け、背景色が他の領域とは異なることなどで区別される。
通信信号の強度の調整は、入力部１１５によってポインタ６００と重なる電波強度調整ボタン５００a〜５００d、Ｏｐｔｉｍｉｚｅボタン５００ｅが選択されることで決定される。
【００５７】
次に図５を用いてＴＶ１００によるテーブルＴ１の作成の動作について説明する。図５はＴＶ１００のテーブルＴ１を作成する動作を示すフローチャートである。
この動作は例えばＴＶ１００のシステムが立ち上がったときに行われる。
（１）通信信号の受信（ステップＳ１０１）
無線通信部１０５がアンテナ１０５ａを介して種々の信号を受信する。無線通信部１０５は受信した信号の復調を行う。このとき無線通信部１０５は受信した信号の周波数を検出しこの周波数を示す情報を生成する。無線通信部１０５は復調した信号と生成した周波数を示す情報とを対応付けて信号処理部１０７に出力する。
【００５８】
（２）テーブルＴ１に登録される情報の生成（ステップＳ１０２）
信号処理部１０７は無線通信部１０５が出力した信号から種々の情報を取り出す。
具体的には信号解析部１０７aが信号に含まれる送受信情報を取り出す。電波強度算出部１０７cが信号の強度を算出する。エラー率算出部１０７ｄが信号のエラー率を算出する。
信号処理部１０７は取り出した情報と信号の周波数の情報とを対応付けて制御部１０３に出力する。
【００５９】
（３）チャンネル登録
制御部１０３は信号処理部１０７から出力された情報から、この情報を送信した機器との通信に使用するチャンネルを設定する。チャンネルの設定は信号処理部１０７から出力された周波数の情報とメモリ１０１に記憶されたテーブルＴ０に基づいて、チャンネル１〜チャンネルｎまでのいずれかを情報を送信した機器と対応させることで行われる。
（４）テーブルＴ１保持（ステップＳ１０４）
制御部１０３は、設定したチャンネルと信号処理部１０７が出力した種々の情報とを対応させてテーブルＴ１（図２参照。）を作成し、メモリ１０１に保持させる。
【００６０】
次に図６を用いて、ＴＶ１００による外部接続機器２００または外部接続機器３００に対する信号の送信の制御について説明する。図６はＴＶ１００の外部接続機器２００または外部接続機器３００に対する制御の動作を示すフローチャートである。
ここでは、ＴＶ１００は外部接続機器２００から送信された通信信号を再生している。すなわち表示部１１３がコンテンツを表示している。しかし、表示部１１３にコンテンツが正常に表示されないことがある。
コンテンツが正常に表示されない原因は、外部接続器機２００がＴＶ１００に送信している電波が強すぎる、または弱すぎる、外部接続器機２００と外部接続器機３００間での通信の電波による混信などである。
この場合、テーブルＴ１のチャンネル２に登録された機器間（例えば外部接続器機２００と外部接続器機３００間）の通信状態を制御することで表示部１１３にコンテンツが正常に表示される可能性が高い。または、外部接続器機２００とＴＶ１００間の通信状態を制御することで表示部１１３にコンテンツが正常に表示される可能性が高い。
【００６１】
以下の説明では、使用者が入力部１１５を用いて表示部１１３にチャンネル２を使用している機器の電波調整操作メニュー５００（図４参照。）を表示させた状態から説明する。
（１）ボタン操作検知（ステップＳ２０１〜Ｓ２０５）
制御部１０３が入力部１１５の入力操作によって、表示部１１３に表示された電波調整操作メニュー５００の電波強度調整ボタン５００ａ〜５００ｄ、Ｏｐｔｉｍｉｚｅボタン５００ｅのいずれかが選択されたか否かを検知する。
【００６２】
（２）制御コマンドＳ１の内容の決定（ステップＳ２０６〜Ｓ２０９）
入力部１１５によって電波強度調整ボタン５００ａ〜５００ｄ、Ｏｐｔｉｍｉｚｅボタン５００ｅのいずれかが選択されたことに基づいて制御部１０３が制御コマンドＳ１の内容を決定する。
具体的には入力部１１５によって電波強度調整ボタン５００aが選択された場合、制御コマンドＳ１の内容は「通信信号の送信を停止する」となる。
入力部１１５によって電波強度調整ボタン５００bが選択された場合、制御コマンドＳ１の内容は「通信信号の強度を弱くする」となる。
【００６３】
入力部１１５によって電波強度調整ボタン５００cが選択された場合、制御コマンドＳ１の内容は「通信信号の強度を強くする」となる。
入力部１１５によって電波強度調整ボタン５００dが選択された場合、制御コマンドＳ１の内容は「通信信号の強度を最も強くする」となる。
（３）Ｏｐｔｉｍｉｚｅ処理の決定（ステップＳ２１０）
入力部１１５によってＯｐｔｉｍｉｚｅボタン５００ｅが選択された場合、制御部１０３はオプティマイズ処理を行う。なおオプティマイズ処理については図７を用いて後述する。
【００６４】
（４）制御コマンドＳ１送信（ステップＳ２１１）
制御部１０３がコマンド送受信部１０７bを制御して外部接続機器２００または外部接続機器３００に対して制御コマンドＳ１を送信させる。
制御部１０３はテーブルＴ１のチャンネル情報を参照して、チャンネルに対応する周波数を用いて制御コマンドＳ１を送信させる。
制御コマンドＳ１にはステップＳ２０６〜Ｓ２０９のいずれかで決定した制御コマンドＳ１の内容と、テーブルＴ１に登録されたコンテンツ送信機器特定情報と、ＴＶ１００が有する固有ＩＤとが含まれている。
【００６５】
（５）タイマの計時開始（ステップＳ２１２）
制御部１０３は制御コマンドＳ１の送信に対応して、タイマ１０４に所定時間の計時を行わせる。
（６）応答コマンドＳ２の受信の判定（ステップＳ２１３〜Ｓ２１４）
制御部１０３は制御コマンドＳ１を送信した外部接続機器２００または外部接続機器３００からの応答コマンドＳ２の受信を判定する。
制御部１０３は応答コマンドＳ２を受信する前にタイマ１０４からタイムアップを通知された場合、制御コマンドＳ１を再送信する。制御部１０３は制御コマンドＳ１再送信後ステップＳ２１３〜Ｓ２１４の処理を繰り返す。
【００６６】
なお、制御コマンドＳ１の再送信が規定回数に達したときに外部接続機器２００または外部接続機器３００に対する信号の送信の制御の処理を中断することもできる。この場合、制御部１０３は表示部１１３に例えば「外部接続機器２００から応答がありません」などのメッセージを表示させるとともに、表示部１１３に電波状況メニュー画面（図３参照）を表示させる。
「規定回数」は特に限定されないが例えば３回である。この規定回数を示す情報はメモリ１０１にあらかじめ記憶させておくことができる。
【００６７】
（７）テーブルＴ１の更新（ステップＳ２１５）
制御部１０３は外部接続機器２００または外部接続機器３００から応答コマンドＳ２を受信する。制御部１０３は応答コマンドＳ２に付加された内容に基づいてテーブルＴ１を更新する。
更新する項目はテーブルＴ１の「使用状況」、「電波受信状況情報」、「送信機の電波強度」、「エラー率」である。
応答コマンドＳ２に付加された応答信号の内容は例えば「制御コマンドＳ１実行否」または「制御コマンドＳ１実行完了」である。
制御部１０３は応答コマンドＳ２に付加された内容が「制御コマンドＳ１実行否」の場合、外部接続機器２００または外部接続機器３００に対する信号の送信の制御の処理を中断する。
【００６８】
この場合、制御部１０３は表示部１１３に例えば「外部接続機器２００は他の機器と通信中です」などのメッセージを表示させるとともに、表示部１１３に電波状況メニュー画面（図３参照）を表示させる。
また、制御部１０３は応答コマンドＳ２に付加された内容が「制御コマンドＳ１実行完了」の場合、応答コマンドＳ２の内容や信号強度に基づいてテーブルＴ１の「電波状況情報」、「信号強度」を更新する。
このように、このＴＶシステム１ではコンテンツが正常に表示されない場合、外部接続機器２００または外部接続機器３００が送信している通信信号の強度を容易に制御することができる。
【００６９】
（オプティマイズ処理について）
次に図７を用いてＴＶ１００による外部接続機器２００または外部接続機器３００に対するオプティマイズ処理について説明する。図７はオプティマイズ処理におけるＴＶ１００の動作を示すフローチャートである。
なお、オプティマイズ処理はコンテンツの表示を行う前に行うことが望ましい。したがってここではコンテンツの表示を行う前に行った場合について説明する。
通信信号の強度が弱すぎた場合ＴＶ１００で受信が困難になる。通信信号の強度が強すぎる場合ＴＶ１００が信号を受信した際の波形が歪んでしまいコンテンツなどを表示できなくなる。
【００７０】
オプティマイズ処理は、例えばＴＶ１００と外部接続機器３００との間で、外部接続機器３００が送信する通信信号の信号の強さを自動的に最適な強さに調整するものである。オプティマイズ処理は外部接続機器２００との間でも行うことができる。なお、信号の強さはＴＶ１００の受信限界より若干強い程度が望ましい。
表示部１１３に表示された電波調整操作メニュー５００において入力部１１５によってＯｐｔｉｍｉｚｅボタン５００ｅが選択された場合、制御部１０３はオプティマイズ処理を行う（図６ステップ２１０参照）。
【００７１】
（１）制御コマンドＳ１の内容を「通信信号の強度を弱くする」に決定する（ステップＳ３０１〜Ｓ３０２）
制御部１０３は、テーブルＴ１を参照して、現在表示されている電波調整操作メニュー５００に対応し、チャンネル２に対応する周波数を使用して通信信号の送信を行っている機器に対して信号の送信の制御を行う。
現在チャンネル２を使用しているのは外部接続機器２００および外部接続器機３００である（図２参照）。具体的には外部接続機器３００が外部接続機器２００に対してコンテンツの送信をおこなっている。
【００７２】
制御部１０３はまず外部接続機器３００に対して制御コマンドＳ１を送信する。この際の制御コマンドＳ１の内容は「通信信号の強度を弱くする」である。
（２）制御信号Ｓ２の受信（ステップＳ３０３〜Ｓ３０４）
制御部１０３は外部接続機器３００から応答コマンドＳ２を受信する。受信した応答コマンドＳ２が「制御コマンドＳ１実行否」だった場合、制御部１０３はオプティマイズ処理を終了する。
この場合の応答コマンドＳ２は外部接続機器３００がオプティマイズ処理によって外部接続機器２００との通信が中断されてしまうと判定した場合に送信される。
【００７３】
応答コマンドＳ２が「制御コマンドＳ１実行完了」だった場合、外部接続機器３００は送信する電波の強さを弱めたことになる。
（３）エラー率の判定（ステップS３０５）
ステップS３０４において、応答コマンドＳ２が「制御コマンドＳ１実行完了」だった場合、制御部１０３は外部接続機器３００の信号のエラー率が閾値以上か否かの判定を行う。
判定の結果、外部接続機器３００の信号のエラー率が閾値より下だった場合、制御部１０３はオプティマイズ処理を終了する。この場合、制御部１０３は、外部接続機器３００との通信が正常に行える可能性が非常に高いと判定したことになる。
【００７４】
判定の結果、外部接続機器３００の信号のエラー率が閾値以上だった場合、オプティマイズ処理は続行される。
（４）信号強度の判定（ステップS３０６）
制御部１０３は外部接続機器３００の信号強度が最小か否かの判定を行う。なお「最小」とはこれ以上通信信号の強度を弱くすると通信信号の送信が停止してしまう状態を指す。判定の結果、信号強度が最小ではなかった場合、再度ステップS３０２〜S３０６を繰り返す。この場合、エラー率が閾値以上なのは外部接続機器３００が送信する信号が強すぎる可能性がある。
【００７５】
（５）制御コマンドＳ１の内容を「通信信号の強度を強くする」に決定（ステップS３０７〜S３０９）
ステップS３０６の判定の結果、信号強度が最小だった場合、制御部１０３は制御コマンドＳ１の内容を「通信信号の強度を強くする」に決定し、外部接続機器３００に対して送信する。
ステップS３０６の判定の結果、信号強度が最小だった場合、信号のエラー率が閾値以上なのは外部接続機器３００が送信する信号が弱すぎる可能性がある。
制御部１０３はステップS３０８で送信した制御コマンドＳ１に対する応答コマンドＳ２を受信する。
【００７６】
（６）エラー率の判定（ステップS３１０）
制御部１０３は外部接続機器３００が送信する通信信号のエラー率を判定する。判定の結果エラー率が閾値よりも低かった場合、制御部１０３はオプティマイズ処理を終了する。この場合、ＴＶ１００と外部接続機器３００との通信が正常に行える可能性が非常に高い。
判定の結果、外部接続機器３００の信号のエラー率が閾値以上だった場合、オプティマイズ処理は続行される。
（７）信号強度の判定（ステップS３１１）
制御部１０３は外部接続機器３００の信号強度が最大か否かの判定を行う。なお「最大」とは外部接続機器２００、３００が送信できる信号強度の上限を指す。判定の結果、信号強度が最大ではなかった場合、再度ステップS３０８〜S３１１を繰り返す。
【００７７】
この場合、エラー率が閾値以上なのは外部接続機器３００が送信する信号が弱すぎる可能性がある。
（８）オプティマイズ処理の終了（ステップＳ３１２〜Ｓ３１３）
ステップＳ３１１の判定の結果、信号強度が最大だった場合、外部接続機器３００が送信する通信信号は、信号強度を最小〜最大まで変化させてもエラー率が閾値以上ということになる。
【００７８】
すなわち、このオプティマイズ処理では外部接続機器３００の信号強度を自動的に調整できない可能性が強い。したがって制御部１０３はオプティマイズ処理を終了する。
ここでステップＳ３１１の判定の結果、信号強度が最大だった場合、制御部１０３は制御コマンドＳ１の内容を「通信信号の強度を弱くする」に決定したのち外部接続機器３００に送信する。
制御コマンドＳ１の内容を「通信信号の強度を弱くする」と決定するのは外部接続機器３００が送信する信号が強いと他の機器間（例えばＴＶ１００と外部接続機器２００）の通信に悪影響をおよぼす畏れがあるからである。
オプティマイズ処理を終了する際、制御部１０３は表示部１１３に例えば「外部接続機器３００の信号強度を手動で調整してください」などのメッセージを表示することができる。
このように本実施の形態のＴＶシステム１によればテーブルＴ１の各チャンネルに対応した機器間の通信状態を容易に制御することができる。
【００７９】
なお、ここでは説明を簡略化するために、ＴＶ１００に外部接続機器２００、３００の２台のみを接続した例を示したが、これに限定されることなくＴＶ１００には外部接続機器を３台以上接続することができる。また、ＴＶ１００に外部接続機器２００のみを接続することもできる。
以上説明したようにこの実施の形態のＴＶシステム１によれば、ＴＶ１００にコンテンツが正常に表示されない場合、通信信号を送信している機器に対して通信信号の強度を調整し、または通信信号の送信を停止するよう容易に制御できる。
すなわち、電波の混信を抑止し、ＴＶ１００で表示したいコンテンツの取得を確実に行えるよう各器機を制御することができる。
（その他の実施の形態）
本発明の実施の形態は上記の実施の形態に限られず拡張、変更可能であり、拡張，変更した実施の形態も本発明の技術的範囲に含まれる。
（１）例えば入力部１１５を用いて、新たな外部機器をＴＶ１００に登録することもできるこの登録は表示部１１３に電波状況メニュー４００を表示させることで行う。
【００８０】
具体的には電波状況メニュー４００の使用状況が「空き」となっているチャンネル番号に新たな外部接続機器を登録する。
例えば、入力部１１５の所定の操作（チャンネルの選択、「登録ボタン」の入力など）によって制御部１０３に制御された無線通信部１０５が登録したい外部接続機器に対して登録用の制御コマンドＳ１を送信する。この登録用の制御コマンドＳ１には通信に使用する周波数の情報が含まれる。外部接続機器はこの登録用情報に基づいて応答コマンドＳ２をＴＶ１００に送信する。
【００８１】
（２）上記実施の形態ではＴＶ１００と外部接続機器２００または外部接続機器３００とを無線のみで接続したが、無線による接続に加えて有線ケーブル（例えばコンポジットケーブルやＨＤＭＩケーブル）７００などで接続することもできる。
この場合のＴＶシステム１を図８を用いて説明する。図８は有線通信部７１０を備えるＴＶシステム１のブロック図である。
この場合、表示部１１３にコンテンツが正常に表示されない場合、制御部１０３は外部接続機器２００または外部接続機器３００に対して、通信信号の送受信を無線から有線ケーブル７００による通信に切り替えさせる。この切替は制御コマンドＳ１によって指示する。
ＴＶ１００、外部接続機器２００、３００は有線ケーブル７００による通信を行うための有線通信部７１０を備えることができる。有線通信部７１０は有線ケーブル７００を接続するためのコンポジット端子やＨＤＭＩ端子を備える。なお、有線通信部７１０は有線ＬＡＮ、ＵＳＢ、ＩＥＥＥ１３９４などの各種ポートを備えることもできる。制御部１０３は例えば、入力部１１５の入力操作によって通信信号の送受信を無線通信部１０５から有線通信部７１０に切り換える。
このようなＴＶシステム１では、ＴＶ１００と外部接続機器２００は無線で通信をおこない、ＴＶ１００と外部接続機器３００は有線ケーブル７００で通信を行う。
（３）上記実施の形態では外部接続機器２００または外部接続機器３００は１台のＴＶ１００に接続されたがこれに加えてもう一台のＴＶ１０１（図示せず）に接続することができる。
【００８２】
例えば外部接続機器２００は、マンションなどの隣り合った部屋にそれぞれ置かれたＴＶ１００、ＴＶ１０１に対して接続される。ＴＶ１００は外部接続機器２００から送信されたコンテンツを表示している。外部接続機器２００がＴＶ１０１から「送信電波の送信を停止する」ことを示す制御コマンドＳ１を受信することがある。外部接続機器２００はＴＶ１００に対して「ＴＶ１０１から電波送信停止要求が発行されました」というメッセージを含む警告画面を表示することができる。この警告画面にはＴＶ１００が備える入力部１１５によって選択可能な「拒否返信」というボタンを備えることができる。
【００８３】
入力部１１５の入力操作によって「拒否返信」ボタンが選択されたことに基づいて外部接続機器２００はＴＶ１０１に対して「制御コマンドＳ１実行否」を示す応答コマンドＳ２を送信する。
この警告画面が頻繁に表示されるようではＴＶ１００に表示されたコンテンツを視聴している使用者は不便を強いられることがある。そこで外部接続機器２００は「通信信号の送信を停止する」ことを示す制御コマンドＳ１の実行の可否を個別の機器毎に設定するようにしてもよい。
例えば外部接続機器２００は制御コマンドＳ１（通信信号の送信の停止）を受信した場合、ＴＶ１００から送信されたときのみ信号の停止を行うようにする。
【００８４】
ＴＶ１０１から「通信信号の送信を停止する」ことを示す制御コマンドＳ１が送信された場合、外部接続機器２００はこのＴＶ１０１に対して「制御コマンドＳ１実行否」を示す応答コマンドＳ２を送信する。この登録は入力部１１５および表示部１１３に表示された電波状況メニュー（図３参照）を用いて行う。電波状況メニューの「使用状況」が「空き」のチャンネルに登録することができる。
なお、このような場合、制御コマンドＳ１が「通信信号の送信を停止する」以外の内容ならば外部接続機器２００は通信信号の送信の状態を変更することができる。
（４）上記実施の形態ではＴＶ１００は外部接続機器２００または外部接続機器３００に直接制御コマンドＳ１を送信したが、この制御コマンドＳ１は外部接続機器２００を介して外部接続機器３００に送信することができる。この場合を図９に示す。
図９はＴＶシステム１の他の実施例に係るシーケンス図である。外部接続機器３００は外部接続機器２００を介して応答コマンドＳ２をＴＶ１００に対して送信することができる。
【図面の簡単な説明】
【００８５】
【図１】ＴＶシステム１の構成を示すブロック図である。
【図２】テーブルＴ１を示す概念図である。
【図３】表示部１１３の表示の一例を示す概念図である。
【図４】電波調整操作画面の一例を示す概略図である。
【図５】ＴＶ１００のテーブルＴ１を作成する動作を示すフローチャートである。
【図６】ＴＶ１００の外部接続機器２００または外部接続機器３００に対する制御の動作を示すフローチャートである。
【図７】オプティマイズ処理におけるＴＶ１００の動作を示すフローチャートである。
【図８】有線通信部７００を備えるＴＶシステム１のブロック図である。
【図９】ＴＶシステム１の他の実施例に係るシーケンス図である。
【符号の説明】
【００８６】
１…ＴＶシステム、１００…ＴＶ、１０１…メモリ、１０３…制御部、１０４…タイマ、１０５…無線通信部、１０５a…アンテナ、１０７…信号処理部、１０７a…信号解析部、１０７b…コマンド送受信部、１０７c…電波強度算出部、１０７ｄ…エラー率算出部、１０９…電波状況メニュー作成ユニット、１１３…表示部、１１５…入力部、２００，３００…外部接続機器、２０１，３０１…外部機器制御部、２０３，３０３…コマンド送受信部、２０５，３０５…無線通信部、２０５ａ，３０５ａ…アンテナ、２０７…データ読書部、２０９…コンテンツ記憶部、２１１…メディア再生部、３０５ａ…アンテナ、３０７…放送電波受信部、４００…電波状況メニュー、４１０…ポインタ、５００…電波調整操作メニュー、６００…ポインタ、７００…有線ケーブル、７１０…有線通信部。
【図１】
0004357559.tif 000002
【図２】
0004357559.tif 000003
【図３】
0004357559.tif 000004
【図４】
0004357559.tif 000005
【図５】
0004357559.tif 000006
【図６】
0004357559.tif 000007
【図７】
0004357559.tif 000008
【図８】
0004357559.tif 000009
【図９】
0004357559.tif 000010